(57)【要約】【課題】組合簡単な防風メガネを提供する。【解決手段】フレーム１０と、防風カバー部材２０とを有する防風メガネであって、前記フレーム１０に少なくとも一枚のレンズ１２が設けられると共に、両端に夫々テンプル９１が設けられ、該フレームに少なくとも二つの第１吸着部材１５が嵌設され、前記防風カバー部材２０は、脱着可能に前記フレームに取り付けられると共に、二つのカバー部材２１を含み、前記フレームにおける第１吸着部材１５と吸着可能な第２吸着部材２５が設けられることを特徴とする。【選択図】図２
0003126988.tif 000002
【実用新案登録請求の範囲】
【請求項１】
フレームと、防風カバー部材とを有する防風メガネであって、
前記フレームに少なくとも一枚のレンズが設けられると共に、両端に夫々テンプルが設けられ、該フレームに少なくとも二つの第１吸着部材が嵌設され、
前記防風カバー部材は、脱着可能に前記フレームに取り付けられると共に、二つのカバー部材を含み、前記フレームにおける第１吸着部材と吸着可能な第２吸着部材が設けられることを特徴とする防風メガネ。
【請求項２】
前記フレームは、二つの環状体からなり、各環状体に夫々レンズが設けられると共に、上縁と下縁に夫々前記第１吸着部材が嵌設され、
前記カバー部材は軟質の素材からなり、各カバー部材にテンプルを貫設するための位置決め孔が形成されることを特徴とする請求項１の防風メガネ。
【請求項３】
前記フレームは、二つの環状体からなり、各環状体に夫々レンズが設けられると共に、上縁と下縁に夫々前記第１吸着部材が嵌設され、
前記防風カバー部材におけるカバー部材がフレームの形状に対応する結合フレームによって互いに連結され、該結合フレームの一側に軟質のパッドが設けられ、前記第２吸着部材は、結合フレームに設けられ、各カバー部材にテンプルを貫設するための位置決め孔が形成されることを特徴とする請求項１の防風メガネ。
【考案の詳細な説明】
【技術分野】
【０００１】
本考案は、特に組合簡単な防風メガネに関するものである。
【背景技術】
【０００２】
風に含んだ砂や塵埃が目に入ることにより、目の不快感を防止するために、防風メガネがよく使用されている。図５に示すように、従来の防風メガネはフレーム（９０）を有し、該フレーム（９０）の一側に孔を有する固定部（９０１）が設けられると共に、両端にテンプル（９１）が設けられ、該テンプル（９１）とフレーム（９０）との間に脱着可能の軟質の防風カバー（９３）が設けられ、該防風カバー（９３）に前記固定部（９０１）に固定可能な固定ブロック（符号なし）が設けられることにより、該防風カバー（９３）をフレーム（９０）とテンプル（９１）との間に取り付ける。
【考案の開示】
【考案が解決しようとする課題】
【０００３】
しかしながら、前記フレーム（９０）における固定部（９０１）は使用者の顔へ向かって延出するため、防風メガネを使用者の顔に掛ける際、不快感を起こってしまうという問題があった。又、該固定部（９０１）における孔及びこの孔と結合する固定ブロックは微小であるため、該防風カバーをフレーム（９０）に取付け難いという問題があった。
【０００４】
そこで、案出されたのが本考案であって、組合簡単の防風メガネを提供することを目的としている。
【課題を解決するための手段】
【０００５】
本願の請求項１の考案は、フレームと、防風カバー部材とを有する防風メガネであって、
前記フレームに少なくとも一枚のレンズが設けられると共に、両端に夫々テンプルが設けられ、該フレームに少なくとも二つの第１吸着部材が嵌設され、
前記防風カバー部材は、脱着可能に前記フレームに取り付けられると共に、二つのカバー部材を含み、前記フレームにおける第１吸着部材と吸着可能な第２吸着部材が設けられることを特徴とする防風メガネ、を提供する。
【０００６】
本願の請求項２の考案は、前記フレームは、二つの環状体からなり、各環状体に夫々レンズが設けられると共に、上縁と下縁に夫々前記第１吸着部材が嵌設され、
前記カバー部材は軟質の素材からなり、各カバー部材にテンプルを貫設するための位置決め孔が形成されることを特徴とする請求項１に記載の防風メガネ、を提供する。
【０００７】
本願の請求項３の考案は、前記フレームは、二つの環状体からなり、各環状体に夫々レンズが設けられると共に、上縁と下縁に夫々前記第１吸着部材が嵌設され、
前記防風カバー部材におけるカバー部材がフレームの形状に対応する結合フレームによって互いに連結され、該結合フレームの一側に軟質のパッドが設けられ、前記第２吸着部材は、結合フレームに設けられ、各カバー部材にテンプルを貫設するための位置決め孔が形成されることを特徴とする請求項１に記載の防風メガネ、を提供する。
【考案の効果】
【０００８】
本考案は上記の課題を解決するものであり、メガネのフレームと防風カバー部材に互いに吸着可能な第１吸着部材と第２吸着部材が設けられることにより、防風カバー部材をメガネのフレームに取付け易いだけではなく、防風カバー部材におけるカバー部材を結合するための結合フレームにパッドが設けられることにより、顔に掛ける快適感を向上することができる。
【考案を実施するための最良の形態】
【０００９】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１０】
図１は本考案に係る防風メガネの第１実施例を示す斜視図であり、図２は本考案に係る防風メガネの第１実施例を示す分解斜視図であり、図３は本考案に係る防風メガネの第２実施例を示す斜視図であり、図４は本考案に係る防風メガネの第２実施例を示す分解斜視図である。
【００１１】
図１及び図２に示すように、本考案に係る防風メガネの第１実施例は、フレーム（１０）と、防風カバー部材（２０）とを有する防風メガネであって、
前記フレーム（１０）に少なくとも一枚のレンズ（１２）が設けられると共に、両端に夫々テンプル（１３）が設けられ、該フレーム（１０）に少なくとも二つの第１吸着部材（１５）が嵌設される。前記第１吸着部材（１５）は磁石又は金属である。本実施例のフレーム（１０）では、二つの環状体からなり、各環状体に夫々レンズ（１２）が設けられると共に、上縁と下縁に夫々第１吸着部材（１５）が嵌設される。
【００１２】
前記防風カバー部材（２０）は、脱着可能に前記フレーム（１０）に取り付けられると共に、二つのカバー部材（２１）を含み、該カバー部材（２１）は例えば布材、ゴム、プラスチック又は革など軟質の素材からなり、各カバー部材（２１）にテンプル（１３）を貫設するための位置決め孔（２１１）が形成されると共に、前記フレーム（１０）における第１吸着部材（１５）と吸着可能な第２吸着部材（２５）が設けられる。前記第１吸着部材（１５）は磁石である時、第２吸着部材（２５）は磁石又は金属であり、一方、前記第１吸着部材（１５）は金属である時、第２吸着部材（２５）は磁石である。
【００１３】
また、図３及び図４に示すように、本考案に係る防風メガネの第２実施例は、前記第１実施例とほとんど等しく、異なるのは、該防風カバー部材（２０a）におけるカバー部材（２１）がフレーム（１０）の形状に対応する結合フレーム（２７）によって互いに連結され、該結合フレーム（２７）の一側にスポンジなど軟質のパッド（２８）が設けられることにより、顔に掛ける快適感を向上することができる。又、この実施例の第２吸着部材（２５）は、結合フレーム（２７）に設けられてもよい。
【産業上の利用可能性】
【００１４】
本考案は上記の構成を有するので、メガネのフレームと防風カバー部材に互いに吸着可能な第１吸着部材と第２吸着部材が設けられることにより、防風カバー部材をメガネのフレームに取付け易いだけではなく、防風カバー部材におけるカバー部材を結合するための結合フレームにパッドが設けられることにより、顔に掛ける快適感を向上することができる。
【図面の簡単な説明】
【００１５】
【図１】本考案に係る防風メガネの第１実施例を示す斜視図である。
【図２】本考案に係る防風メガネの第１実施例を示す分解斜視図である。
【図３】本考案に係る防風メガネの第２実施例を示す斜視図である。
【図４】本考案に係る防風メガネの第２実施例を示す分解斜視図である。
【図５】従来の防風メガネを示す斜視図である。
【符号の説明】
【００１６】
１０        フレーム
１１        前枠
１２        レンズ
１３        テンプル
１５        第１吸着部材
２０、２０a        防風カバー部材
２１        カバー部材
２１１      位置決め孔
２５        第２吸着部材
２７        結合フレーム
２８        パッド
９０        フレーム
９１        テンプル
９０１      固定部
９３        防風カバー
【図１】
0003126988.tif 000003
【図２】
0003126988.tif 000004
【図３】
0003126988.tif 000005
【図４】
0003126988.tif 000006
【図５】
0003126988.tif 000007